(57)【要約】【課題】情報量の多い情報であっても、携帯端末に効率よく２次元コードを表示させることができる。【解決手段】情報を複数の２次元コードとして伝達する端末であって、前記情報に基づいて複数の２次元コードを生成する２次元コード生成手段と、前記複数の２次元コードのうち、一の２次元コードを表示する画像表示手段と、前記一の２次元コードの表示の切り替え要求を検知して、他の２次元コードを表示する画像表示切り替え手段と、を備える端末。【選択図】図２
2014157541.tif 000002
【特許請求の範囲】
【請求項１】
情報を複数の２次元コードとして表示する端末であって、
前記情報に基づいて複数の２次元コードを生成する２次元コード生成手段と、
前記複数の２次元コードのうち、一の２次元コードを表示する画像表示手段と、
前記一の２次元コードの表示と異なる画像表示により当該一の２次元コードを除く他の２次元コードを表示する画像表示切り替え手段と、
を備える端末。
【請求項２】
前記画像表示切り替え手段は、表示切り替え要求を検知することにより、前記一の２次元コードの表示から、他の２次元コードへと表示を切り替える、
請求項１に記載の端末。
【請求項３】
前記切り替え要求は、前記一の２次元コードを撮影する音を認識することによって検知する、
請求項２に記載の端末。
【請求項４】
前記画像表示手段は、前記複数の２次元コードのうち、一の２次元コードと、複数の２次元コードのうち何番目かを示す情報又は２次元コードの切り替え前後の違いを示す情報であるバーコード特定情報とを出力する、
請求項１乃至３いずれかに記載の端末。
【請求項５】
前記画像表示手段は、前記複数の２次元コードのうち、一の２次元コードと、バーコード特定情報として１次元バーコードを表示する、
請求項４に記載の端末。
【請求項６】
端末に、情報を複数の２次元コードとして表示させるプログラムであって、
前記情報に基づいて複数の２次元コードを生成するステップと、
前記複数の２次元コードのうち、一の２次元コードを表示するステップと、
前記一の２次元コードの表示と異なる画像表示により当該一の２次元コードを除く他の２次元コードを表示するステップと、
を前記端末に実行させるプログラム。
【発明の詳細な説明】
【技術分野】
【０００１】
本発明は、医療情報を管理する医療情報記憶端末及びプログラムに関する。
【背景技術】
【０００２】
情報処理技術の発展は、薬剤を調剤し提供する薬局等の医療機関にも広く浸透し、利便性を高めている。例えば、従来から医療機関においては、レセプト（診療報酬明細書）の作成を支援するレセコンといったコンピュータが知られており、高度な専門知識や複雑な計算を必要とすることなくレセプトの作成を可能にしている。また、近年では、薬歴等の患者の情報も電子的に管理するシステムが普及している。
【０００３】
なお、従来ではレセコンと薬歴を管理するシステムとがハード的に独立したコンピュータであったため、例えば特許文献１には、レセコン機能と薬歴管理機能とを備えた薬局用コンピュータにおいて、両機能を有効に連携した薬局用コンピュータが開示されている。
【先行技術文献】
【特許文献】
【０００４】
【特許文献１】特開２０１１−１１８５３５号公報
【発明の概要】
【発明が解決しようとする課題】
【０００５】
ところで、医療機関が患者より医療情報を得るためには、問診によって患者自身から医療情報を聞き取ったり、患者の家族から医療情報を聞き取ったりする必要があるため、異なる医療機関に受診する場合には他の医療機関における問診と同様の聞き取りを行わなければならない。そこで、近年、医療機関と患者との間の医療情報の伝達において、情報処理技術を用いて、医療機関から患者へ又は患者から医療機関への医療情報を、２次元コードを介して伝達することが行われている。
【０００６】
ここで、医療情報の伝達が行われる場合に、医療情報の情報量が大きいために、一の２次元コードで表現できる範囲を超えてしまう場合があり、その場合には、複数の２次元コードで表現する必要があるが、携帯端末において表示する場合においては、携帯端末の表示画面の狭さから一度に複数の２次元コードを表示できないという制約があった。
【０００７】
本発明は、このような制約に鑑みてなされたものであり、情報量の多い情報であっても、携帯端末に効率よく２次元コードを表示することを目的とする。
【課題を解決するための手段】
【０００８】
（１）  情報を複数の２次元コードとして表示する端末であって、前記情報に基づいて複数の２次元コードを生成する２次元コード生成手段と、前記複数の２次元コードのうち、一の２次元コードを表示する画像表示手段と、前記一の２次元コードの表示と異なる画像表示により当該一の２次元コードを除く他の２次元コードを表示する画像表示切り替え手段と、を備える端末。
【０００９】
（２）  前記画像表示切り替え手段は、表示切り替え要求を検知することにより、前記一の２次元コードの表示から、他の２次元コードへと表示を切り替える、（１）に記載の端末。
【００１０】
（３）  前記切り替え要求は、前記一の２次元コードを撮影する音を認識することによって検知する、（２）に記載の端末。
【００１１】
（４）  前記画像表示手段は、前記複数の２次元コードのうち、一の２次元コードと、複数の２次元コードのうち何番目かを示す情報又は２次元コードの切り替え前後の違いを示す情報であるバーコード特定情報とを出力する、（１）乃至（３）いずれかに記載の端末。
【００１２】
（５）    前記画像表示手段は、前記複数の２次元コードのうち、一の２次元コードと、バーコード特定情報として１次元バーコードを表示する、（４）に記載の端末。
【００１３】
（６）  端末に、情報を複数の２次元コードとして表示させるプログラムであって、前記情報に基づいて複数の２次元コードを生成するステップと、前記複数の２次元コードのうち、一の２次元コードを表示するステップと、前記一の２次元コードの表示と異なる画像表示により当該一の２次元コードを除く他の２次元コードを表示するステップと、を前記端末に実行させるプログラム。
【発明の効果】
【００１４】
本発明によれば、情報量が多く、複数の２次元コードで伝達しなければならない情報であっても、携帯端末に効率よく複数の２次元コードを表示させることができる。
【図面の簡単な説明】
【００１５】
【図１】医療情報システムの構成を示す図である。
【図２】医療情報端末の機能構成を示すブロック図である。
【図３】医療情報の選択画面の一例を示す図である。
【図４】医療情報記憶手段を示す図である。
【図５】２次元コードの表示画面の一例を示す図である。
【図６】医療情報端末の処理の流れを示すフローチャートである。
【発明を実施するための形態】
【００１６】
以下、本発明の実施形態について図面を参照して説明する。
【００１７】
［医療情報システム１００の構成］
図１を参照して、本発明の医療情報システム１００は、医療機関側の担当者により用いられる医療情報装置１ａ・・・１ｎ及び患者等により用いられる医療情報端末２ａ・・・２ｎを、を含んで構成される。医療情報装置１ａ・・・１ｎ及び医療情報端末２ａ・・・２ｎは、それぞれ医療情報の入力を行うことができ、入力された医療情報を、医療情報装置１ａ・・・１ｎ及び医療情報端末２ａ・・・２ｎの間において、２次元コードを介して医療情報の伝達を行う。この際、医療情報装置１ａ・・・１ｎ同士間において又は医療情報端末２ａ・・・２ｎ同士間においても医療情報の伝達を行うことができる。なお、医療情報装置１ａ・・・１ｎの構成は基本的に同一であるため、以下単に「医療情報装置１」と呼ぶことがある。同様に、医療情報端末２ａ・・・２ｎの構成も、基本的に同一であるため、以下単に「医療情報端末２」と呼ぶことがある。
【００１８】
医療情報装置１は、医療機関の担当者により用いられる端末装置であり、各種演算処理を行う制御部１１や各種情報を記憶する記憶部１２に加え、キーボードやタッチパネル等により実現される入力部１３及びディスプレイによる表示部１４、静止画を撮影する撮像部１５及び印刷機に印刷データを送信する出力部１６等を備えた汎用パーソナルコンピュータである。このような医療情報装置１は、各種プログラムがインストールされており、制御部がこれらプログラムに従い動作することで、レセコン機能や薬歴管理機能等の医療情報の管理機能を発揮する。
【００１９】
なお、医療情報とは、患者の傷病に関連する情報をいい、例えば、患者の傷病の症状についての情報、患者の傷病を治療する薬剤の情報、傷病・治療に影響を及ぼす患者の体質に関する情報及び治療に要した費用の情報等を含む。医療情報は、医療機関が入力する情報もあれば、患者や患者の家族が入力する情報もある。
また、医療機関とは、患者の傷病の治療を目的とする機関であって、例えば、病院、診療所、薬局、接骨院及び介護施設等を含む。また、医療機関の担当者とは、医療機関で医療に関連する業務を担当する者であって、例えば、医者、看護婦、医療事務、薬剤師等を含む。
【００２０】
医療情報端末２は、医療情報を管理するために患者等によって用いられる携帯端末であり、各種演算処理を行う制御部２１や各種情報を記憶する記憶部２２に加え、キーボードやタッチパネル等により実現される入力部２３、ディスプレイによる表示部２４、静止画を撮影する撮像部２５、無線通信を行う通信部２６及び音声の入力を受け付ける音声入力部２７を備えた携帯端末であり、例えば、いわゆるスマートフォントして構成される。このような医療情報端末２は、各種プログラムがインストールされており、制御部２１がこれらプログラムに従い動作することで、患者自身の医療情報の管理機能を発揮するとともに、他の医療情報端末２又は医療情報装置１に医療情報を伝達させる医療情報伝達機能を発揮する。
なお、患者等とは、患者本人の他、患者の親族や保護者等の患者の健康の管理に影響を及ぼしうる地位にある者を含む。
【００２１】
［医療情報端末２の機能的構成］
続いて、医療情報伝達機能を発揮するための医療情報端末２の機能的構成を、図２を参照して説明する。医療情報伝達機能の発揮に際して、医療情報端末２の制御部２１は、２次元コード生成手段２１１と、画像表示手段２１２と、画像表示切り替え手段２１３とを有する。また、記憶部２２には、医療情報記憶手段２２１を有する。
【００２２】
２次元コード生成手段２１１は、患者の操作を受け付けて、医療情報記憶手段２２１に記憶される医療情報に基づいて２次元コードを生成する。
具体的には、患者が伝達したいと考える医療情報を選択して、選択した医療情報を医療情報記憶手段２２１から抽出して、抽出した医療情報に基づいて２次元コードを生成してもよい。また、医療情報に加えて、後述する読取日時及び読取場所を含む情報について併せて２次元コードを生成してもよい。この際、医療情報の容量が多く、一つの２次元コードで表現できる範囲を超えている場合には、複数の２次元コードが生成されるようになっている。複数の２次元コードが生成された場合には、生成された２次元コード全てを読み取らなければ医療情報を復元できないならないため、生成された２次元コード全てを表示すべきである。
医療情報は、詳細な傷病の履歴及び薬剤歴等を含み、医療機関の担当者や患者等が自由に入力するものであるから、ＵＲＬ等と異なり一つの２次元コードで表現できる範囲を超え易い。なお、一つの２次元コードで表現できる範囲は、例えば、２次元コードのうちＱＲコード（登録商標）では、２９５３バイトまで表現することができる。
ここで、２次元コードとは、横方向にしか情報を持たない一次元バーコードに対し、水平方向と垂直方向に情報を持つ表示方式のバーコードのことをいい、例えば、ＱＲコード（登録商標）、マイクロＱＲコード、ＳＰコード、ベリコード、マキシコード、ＣＰコード、ＤａｔａＭａｔｒｉｘ、ＤａｔａＭａｔｒｉｘＥＣＣ２００、Ｃｏｄｅ１、ＡｚｔｅｃＣｏｄｅ、インタクタコード、カードｅ、ＰＤＦ４１７、マイクロＰＤＦ４１７、Ｃｏｄｅ４９、Ｃｏｄｅ１６ｋ、Ｃｏｄａｂｌｏｃｋ、ＳｕｐｅｒＣｏｄｅ、Ｕｌｔｒａ
Ｃｏｄｅ、ＲＳＳＣｏｍｐｏｓｉｔｅ、ＡｚｔｅｃＭｅｓａ等をいう。
【００２３】
図３は、患者が伝達したいと考える医療情報を選択する画面の一例である。図３（ａ）では、伝達したい医療情報をプルダウンメニューにおいて選択したものが示され、期間が「２０１２年１０月１日〜２０１２年１０月３１日」であり、医療情報の分類が「保険調剤明細」であることを示している。図３（ｂ）では、図３（ａ）で選択した内容の医療情報が示され、「１０月１日」に薬局「○○○」内で読み取られた「降圧剤Ｘを調剤」とする医療情報と、「１０月５日」に薬局「○○○」内で読み取られた「抗生物質Ｙを調剤」とする医療情報とが表示されており、患者が表示された医療情報を伝達することを確認して「決定」ボタンを選択することにより、選択した医療情報についての２次元コードが生成される。
【００２４】
ここで、図４を参照して医療情報記憶手段２２１について説明する。医療情報記憶手段２２１は、医療情報ＩＤ、医療情報種別、読取日時、読取場所及び内容を含んで構成される。
医療情報種別は、医療情報の内容及び発行者を示す分類であり、本実施形態においては、医者が診察した内容に関連する医療情報である診療内容、処方せんに基づいて薬剤の調剤に関連する医療情報である調剤内容、患者自身が自己の体調等を入力した医療情報である患者記録及び患者の家族が患者の体調等を入力した医療情報である家族記録等に分類される。
読取日時は、医療情報を医療情報端末２に読み込んだ日時が記憶される。読取場所は、医療情報を医療情報端末２に読み込んだ場所が記憶される。内容は、読み込んだ医療情報の内容が記憶される。
【００２５】
図２に戻り、画像表示手段２１２は、２次元コード生成手段２１１が生成した２次元コードを表示部２４に表示する。画像表示手段２１２は、２次元コード生成手段２１１が生成した２次元コードが複数の場合には、バーコード特定情報を併せて出力するようになっている。ここで、バーコード特定情報とは、複数の２次元コードのうち何番目かを示す情報又は２次元コードの切り替え前後の違いを示す情報であり、ここでいう情報とは、いわゆる文字情報に限られず操作者に対してその旨を通知可能なものならばよく、後述する色や音声のようなものでもよい。本実施形態においては、バーコード特定情報は、２次元コードが全部で何枚あって何枚目のものかを示す表示番号として表示するものとなっている。
図５は、画像表示手段２１２が表示する画面の一例である。Ｖ１には、２次元コードが表示されている。Ｖ２には、表示されている２次元コードが三つあるうちの一つ目であることを示す表示番号が表示されている。
【００２６】
画像表示切り替え手段２１３は、２次元コード生成手段２１１が生成した２次元コードが複数ある場合に、切り替え要求を検知したことに応じて２次元コードの表示切り替えを行う。具体的には、画像表示手段２１２が表示した２次元コードが医療情報装置１又は他の医療情報端末２に撮影されたことを検知して画像表示手段２１２に次の２次元コードを表示するように指示を行うようになっている。
【００２７】
本実施形態においては、画像表示切り替え手段２１３は、表示した２次元コードが医療情報装置１又は他の医療情報端末２に撮影されたことを、医療情報装置１又は他の医療情報端末２が発する撮影音を、音声入力部２７を介して画像表示切り替え手段２１３が認識することにより、画像表示手段２１２に新たな２次元コードの表示を指示するようになっている。即ち、本実施形態において、画像表示切り替え手段２１３は、医療情報装置１又は他の医療情報端末２の発する撮影音を認識することによって、２次元コードの切り替え要求を検知している。
【００２８】
このように、画像表示切り替え手段２１３が撮影音を認識することにより２次元コードの表示切り替えを行うことは、情報量が多く複数の２次元コードを表示する必要がある場合には、２次元コードが多ければ多いほど、その切り替えを行うことが煩雑であるために、煩雑さを軽減するために必要である。
【００２９】
また、画像表示切り替え手段２１３は、医療情報装置１又は他の医療情報端末２が撮影した２次元コードの読取に失敗したことを受け付けて、医療情報装置１又は他の医療情報端末２が読取に失敗した２次元コードを再度表示するように画像表示手段２１２に指示を行うようになっている。
【００３０】
本実施形態においては、２次元コードを撮影した医療情報装置１又は他の医療情報端末２が読取に失敗したか確認を促す画面を表示部２４に表示して、患者から医療情報装置１又は他の医療情報端末２が読取に失敗した２次元コードの表示番号の指定を受け付けることにより、該当する表示番号の２次元コードを再度表示するように画像表示手段２１２に指示するようになっている。
【００３１】
これは、画像表示切り替え手段２１３が、医療情報装置１又は他の医療情報端末２の撮影音を検知することによって自動的に２次元コードを切り替えるために、撮影しても読取が失敗した場合や、関係のない端末の撮影音によって誤動作してしまった場合等に、最初から２次元コードの表示を行わせることは煩雑であるために必要である。
【００３２】
［医療情報システム１００の処理］
続いて、図６を参照して、医療情報端末２の医療情報伝達処理について説明する。
医療情報表示処理は、医療情報端末２が患者より医療情報の伝達を開始する操作を受け付けることに応じて、開始する。初めに、医療情報端末２の２次元コード生成手段２１１は、医療情報を医療情報記憶手段２２１より抽出して表示し、患者より表示した医療情報のうち、伝達する医療情報の選択を受け付ける（ステップＳ１）。即ち、２次元コード生成手段２１１は、２次元コードとして生成する医療情報の選択を受け付ける。
【００３３】
続いて、２次元コード生成手段２１１は、患者の選択を受け付けた医療情報に基づいて、２次元コードを生成する（ステップＳ２）。この際、医療情報の容量が大きく一つの２次元コードで表現できる範囲を超えている場合には、複数の２次元コードを生成する。
【００３４】
ステップＳ２に続いて、画像表示手段２１２は、２次元コード生成手段２１１が生成した２次元コードのうち一つを表示部２４に表示する（ステップＳ３）。この際、表示すべき２次元コードが複数ある場合には、表示する２次元コードの表示番号を併せて表示する。
【００３５】
続いて、画像表示切り替え手段２１３は、表示された２次元コードが医療情報装置１又は他の医療情報端末２に撮影されたことを検知した場合にステップＳ５に進む（ステップＳ５）。画像表示切り替え手段２１３は、表示された２次元コードが医療情報装置１又は他の医療情報端末２に撮影されたことを検知しない限り、２次元コードの表示の切り替えを画像表示手段２１２に指示しないため、表示部２４において同一の２次元コードが表示され続ける。
【００３６】
ステップＳ５において、画像表示切り替え手段２１３は、２次元コード生成手段２１１が生成した２次元コードが全て表示部２４に表示されたかを判断を行う（ステップＳ５）。表示部２４に全て２次元コードが表示されたと判断された場合には、ステップＳ６に進み、読み取りに失敗したものがないかの確認する処理を行う。表示部２４に全ての２次元コードが表示されていないと判断された場合には、画像表示手段２１２に次の２次元コードを表示するように指示を行い、画像表示手段２１２は新たな２次元コードの表示を行う（ステップＳ３）。
【００３７】
ステップＳ６において、画像表示切り替え手段２１３は、２次元コードを撮影した医療情報装置１又は他の医療情報端末２が読取に失敗した２次元コードの指定を受け付け、失敗した２次元コードが存在するか否かを判断する（ステップＳ６）。失敗した２次元コードが存在する場合は、再度、失敗した２次元コードを表示する（ステップＳ６）。失敗した２次元コードが存在しない場合は、医療情報表示処理を終了する。
【００３８】
以上、本実施形態について説明した。このような医療情報端末２によれば、情報量が多く一の２次元コードで表現できる範囲を超えており複数の２次元コードでなければ表現できない情報であっても、効率よく情報を伝達することができる。
【００３９】
また、医療情報端末２によれば、情報量が多く一の２次元コードで表現できる範囲を超えており複数の２次元コードでなければ表現できない情報であっても、医療情報装置１又は他の医療情報端末２の撮影音に応じて自動的に２次元コードの表示を切替えるために、ユーザの手間を煩わせず、効率よく情報を伝達することができる。
【００４０】
また、医療情報端末２によれば、情報量が多く一の２次元コードで表現できる範囲を超えており複数の２次元コードでなければ表現できない情報であっても、医療情報装置１又は他の医療情報端末２の撮影音を認識したことに応じて自動的に２次元コードの表示を切替えることができ、且つ、撮影しても読み取りに失敗した２次元コードの再入力を促すことができるため、効率よく且つ正確に情報を伝達することができる。
【００４１】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４２】
また、本発明の実施形態においては、画像表示手段２１２は、２次元コードに加えて表示番号を表示部２４に表示することによりバーコード特定情報を出力したが、本発明の適用は表示番号に限られるものではなく、バーコード特定情報は複数の２次元コードのうち何番目かを示す又は２次元コードの切り替え前後の違いを示すことのできるものであればよく、表示部２４に２次元コードとは別に表示されるものに限定されるものではない。例えば、バーコード特定情報は、１次元バーコードとして表示してもよく、２次元コード又は背景の色を変えてもよく、又は何番目の２次元コードかを示す音声を出力してもよい。
このようなバーコード特定情報は、実施形態によって一つの種類のバーコード特定情報を採用するだけではなく、例えば、入力する患者の傷病の状態によって情報の種類を変更できるようにしてもよく、例えば、弱視の患者には、音声を用いて、聴覚に障害がある患者には、視覚的効果として表示番号の表示を用い、或いは両者に障害がある患者にはこれら両方を組み合わせて用いてもよい。
【００４３】
また、本発明の実施形態においては、画像切り替え手段２１３は、医療情報装置１又は他の医療情報端末２が発する撮影に基づいて音声を認識して、２次元コードの表示切り替えを画像表示手段２１２に指示を行ったが、本発明の適用はこれに限られるものではなく、医療情報装置１又は他の医療情報端末２が撮影の完了したことを医療情報端末２が検知できるものであればよく、例えば、医療情報端末２を操作する患者が入力部２３に撮影完了を知らせる右から左にタッチパネルをなでる操作を行うことによって医療情報端末が撮影の完了を検知してもよい。また、例えば、医療情報端末を操作する患者が入力部２３に一枚目の撮影の完了を知らせるタップ操作を行うことによって、２次元コードの表示からタップ操作までを撮影完了に要する時間として、当該撮影完了に要する時間が経過するごとに撮影の完了を検知したとして、２次元コードの表示切り替えを行ってもよい。
【００４４】
また、本発明の実施形態においては、画像切り替え手段２１３は、読取に失敗した２次元コードの表示番号の指定を受け付けるにより読取に失敗した２次元コードを特定するが、本発明の適用はこれに限られるものではなく、画像表示手段２１２がどのような複数の２次元コードのうち何番目かを示す又は２次元コードの切り替え前後の違いを示す情報を提示するかによって、適宜、適切な読取に失敗した２次元コードの特定方法を採用してもよい。
【００４５】
また、本発明の実施形態においては、医療情報の伝達について本発明を適用したが、これに限られるものではなく、一の情報が複数の２次元コードから構成される場合に、２次元コードを携帯端末に表示するものであれば、本発明を適用することができる。
【００４６】
また、本願発明は、図２に示す機能的構成を備える端末装置に対して適用することができる。上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能がコンピュータに備えられていれば足り、この機能を実現するためにどのような機能ブロックを用いるのかは特に図３の例に限定されない。
また、一つの機能ブロックは、ハードウェア単体で構成してもよいし、ソフトウェア単体で構成してもよいし、それらの組み合わせで構成してもよい。
【００４７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【符号の説明】
【００４８】
１  医療情報装置
２  医療情報端末
２１  制御部
２２  記憶部
２３  入力部
２４  表示部
２５  撮像部
２６  通信部
２７  音声入力部
２１１  ２次元コード生成手段
２１２  画像表示手段
２１３  画像表示切り替え手段
２２１  医療情報記憶手段
１００  医療情報システム
【図１】
2014157541.tif 000003
【図２】
2014157541.tif 000004
【図３】
2014157541.tif 000005
【図４】
2014157541.tif 000006
【図５】
2014157541.tif 000007
【図６】
2014157541.tif 000008